(57)【要約】【課題】本発明は、ノートパソコンや携帯電話などの電子機器に内蔵されるカメラ装置に搭載できる薄型の可変絞り装置、カメラ装置及び電子機器を提供する。【解決手段】本発明の可変絞り装置は、本体ケース、ベース、導電端子及び端子接続部を備え、ベースには透光孔が形成され、導電端子はベース上に設けられており、形状記憶合金ワイヤと、可動部と、前記可動部とともに絞りを形成する従動部と、をさらに備え、形状記憶合金ワイヤの一端は端子接続部に接続され、可動部は第一の回転軸を介してベースに連結され、可動部における第一の回転軸を中心に前記透光孔から遠い側は形状記憶合金ワイヤの他端に接続され、可動部における第一の回転軸を中心に前記透光孔に近い側は端子接続部の弾性構造に接続され、端子接続部は導電端子上に取り付けられ、形状記憶合金ワイヤ、端子接続部及び可動部の接続により電気回路経路が形成される。【選択図】図２
2020140206.tif 000002
【特許請求の範囲】
【請求項１】
本体ケースと、ベースと、導電端子と、端子接続部とを備え、前記ベースには透光孔が形成され、前記導電端子が前記ベース上に設けられている可変絞り装置であって、
形状記憶合金ワイヤと、可動部と、前記可動部とともに絞りを形成する従動部と、をさらに備え、
前記形状記憶合金ワイヤの一端は、前記端子接続部に接続され、
前記可動部は、第一の回転軸を介して前記ベースに連結され、
前記可動部における前記第一の回転軸を中心に前記透光孔から遠い側は、前記形状記憶合金ワイヤの他端に接続され、
前記可動部における前記第一の回転軸を中心に前記透光孔に近い側は、前記端子接続部の弾性構造に接続され、
前記端子接続部は、前記導電端子上に取り付けられ、
前記形状記憶合金ワイヤ、前記端子接続部及び前記可動部の接続により、電気回路経路が形成される
ことを特徴とする可変絞り装置。
【請求項２】
前記可動部と前記従動部との間は、連結部によって回動連結し、
前記連結部の一端は、前記可動部と連結固定され、
前記従動部の端部には、スライド溝が設けられ、
前記連結部の他端には凸起が形成され、前記スライド溝内に前記凸起が配置され、
前記凸起は、前記可動部の回動に伴い、前記スライド溝に沿ってスライドする
ことを特徴とする請求項１に記載の可変絞り装置。
【請求項３】
前記スライド溝は、Ｌ字型を呈する
ことを特徴とする請求項２に記載の可変絞り装置。
【請求項４】
支持部をさらに備え、
前記支持部の一端は、前記可動部の一端と回動連結し、且つ前記ベースに固定されて、前記可動部を支持する
ことを特徴とする請求項１に記載の可変絞り装置。
【請求項５】
前記支持部は第一の回転軸受穴を有し、前記支持部と前記可動部は、前記第一の回転軸受穴と前記第一の回転軸を介して連結する
ことを特徴とする請求項４に記載の可変絞り装置。
【請求項６】
前記支持部は第二の回転軸受穴を有し、前記従動部は、第二の回転軸を介して前記ベースに連結され、前記支持部と前記従動部は、前記第二の回転軸受穴と前記第二の回転軸を介して連結する
ことを特徴とする請求項５に記載の可変絞り装置。
【請求項７】
前記端子接続部は、電気的に絶縁された第一の端子接続部と第二の端子接続部を備え、
前記形状記憶合金ワイヤの一端は前記第一の端子接続部と接続し、前記第二の端子接続部の前記弾性構造は、前記可動部に接続する
ことを特徴とする請求項１に記載の可変絞り装置。
【請求項８】
前記可動部は、第一の円弧形本体部を備え、
前記従動部は、第二の円弧形本体部を備え、
前記第一の円弧形本体部と前記第二の円弧形本体部は互いに対応して重ね合わされ、
前記可動部と前記従動部とが向かい合って作動するとき、前記第一の円弧形本体部と前記第二の円弧形本体部との間には、可変直径の絞りが形成される
ことを特徴とする請求項１に記載の可変絞り装置。
【請求項９】
請求項１乃至８のいずれか一項に記載の可変絞り装置を備えたことを特徴とするカメラ装置。
【請求項１０】
請求項９に記載のカメラ装置を備えたことを特徴とする電子機器。
【発明の詳細な説明】
【技術分野】
【０００１】
本発明は、電子機器分野に関し、特に可変絞り装置、カメラ装置及び電子機器に関する。
【背景技術】
【０００２】
携帯型デジタル機器の普及に伴い、例えば、ノートパソコンや携帯電話などの電子機器は、ほぼ全てにカメラ装置が配置されるようになってきた。これらのカメラ装置は、通常外部に露出している状態であるため、他者がソフトウェアによって機器におけるカメラ装置を制御して、利用者の意思に反する撮影行為を行うことができるので、ユーザのプライバシーを暴露してしまうことになる。
【発明の概要】
【発明が解決しようとする課題】
【０００３】
しかしながら、従来の電子機器における可変絞り装置の構造によっては、レンズを遮蔽してプライバシーの漏洩を防ぐことができない。
【０００４】
以上に鑑みて、当業者により新型の可変絞り装置が開発され、上記従来技術の問題点を克服しようとする。
【０００５】
したがって、本発明の目的は、ノートパソコンや携帯電話などの電子機器に内蔵されるカメラ装置に搭載できる薄型の可変絞り装置及びそのカメラ装置と電子機器を提供することである。
【課題を解決するための手段】
【０００６】
上記目的を達成するために、本発明による可変絞り装置は、本体ケースと、ベースと、導電端子と、端子接続部とを備え、前記ベースには透光孔が形成され、前記導電端子は、前記ベース上に設けられており、形状記憶合金ワイヤと、可動部と、前記可動部とともに絞りを形成する従動部と、をさらに備え、前記形状記憶合金ワイヤの一端は、前記端子接続部に接続され、前記可動部は、第一の回転軸を介して前記ベースと連結し、前記可動部における前記第一の回転軸を中心に前記透光孔から遠い側は、前記形状記憶合金ワイヤの他端と接続し、前記可動部における前記第一の第一の回転軸を中心に前記透光孔に近い側は、前記端子接続部の弾性構造と接続し、前記端子接続部は、前記導電端子上に取り付けられ、前記形状記憶合金ワイヤ、前記端子接続部及び前記可動部の接続により、電気回路経路が形成される。
【０００７】
また、好ましくは、本発明による可変絞り装置は、前記可動部と前記従動部との間は連結部によって回動連結し、前記連結部の一端は前記可動部と連結固定され、前記従動部の端部にはスライド溝が設けられ、前記連結部の他端には凸起が形成され、前記スライド溝内に前記凸起が配置され、前記凸起は、前記可動部の回動に伴い前記スライド溝に沿ってスライドする。
【０００８】
また、好ましくは、本発明による可変絞り装置において、前記スライド溝は、Ｌ字型を呈する。
【０００９】
また、好ましくは、本発明による可変絞り装置は、支持部をさらに備え、前記支持部の一端は、前記可動部の一端と回動連結し、且つ前記ベースに固定されて、前記可動部を支持する。
【００１０】
また、好ましくは、本発明による可変絞り装置において、前記支持部は第一の回転軸受穴を有し、前記支持部と前記可動部は、前記第一の回転軸受穴と前記第一の回転軸よって連結する。
【００１１】
また、好ましくは、本発明による可変絞り装置において、前記支持部は第二の回転軸受穴を有し、前記従動部は、第二の回転軸を介して前記ベースに連結され、前記支持部と前記従動部は、前記第二の回転軸受穴と前記第二の回転軸を介して連結する。
【００１２】
また、好ましくは、本発明による可変絞り装置において、前記端子接続部は、電気的に絶縁された第一の端子接続部と第二の端子接続部を備え、前記形状記憶合金ワイヤの一端は前記第一の端子接続部と接続し、前記第二の端子接続部の弾性構造は、前記可動部に接続する。
【００１３】
また、好ましくは、本発明による可変絞り装置において、前記可動部は、第一の円弧形本体部を備え、前記従動部は、第二の円弧形本体部を備え、前記第一の円弧形本体部と前記第二の円弧形本体部は互いに対応して重ね合わされ、前記可動部と前記従動部とが向かい合って作動するとき、前記第一の円弧形本体部と前記第二の円弧形本体部との間には、可変直径の絞りが形成される。
【００１４】
上記目的を達成するために、本発明によるカメラ装置は、上記した可変絞り装置を備えている。
【００１５】
上記目的を達成するために、本発明による電子機器は、上記したカメラ装置を備えている。
【発明の効果】
【００１６】
本発明による可変絞り装置は、形状記憶合金ワイヤを使い、電気回路経路を形成して、電流により形状記憶合金ワイヤを動かし、可動部を作動させるので、薄型を実現でき、これを搭載したカメラ装置及び電子機器も薄型にできる。この可変絞り装置は、レンズを遮蔽することができて、プライバシーの漏洩を防ぐことができる。また、小絞りモード及び大絞りモードを提供することができる。
【図面の簡単な説明】
【００１７】
本発明の上記特徴及びその他の特徴、性質及び利点は、図面及び実施形態の説明によりさらに顕著になり、図面における同じ符号は同じ構成を示す。
【００１８】
【図１】本発明による可変絞り装置の斜視図である。
【図２】本発明による可変絞り装置の一つの分解図である。
【図３】本発明による可変絞り装置の他の分解図である。
【発明を実施するための形態】
【００１９】
以下、本発明の目的、特徴点及び効果をより分かりやすくするために、図面に基づいて本発明の実施形態に対して詳しく説明する。もちろん、以下の説明は本発明の好ましい実施形態であり、全図面において、同じ符号は相同又は相似な構成を示す。また、本明細書で使う用語は、ほぼ周知の用語を使うが、本発明の特徴を明確に説明するためには一部用語を発明者の判断によって選用する。関連部分については、明細書で詳しく説明する。なお、使用した用語は、実際意味だけではなく、暗示する意味も含んで理解されたい。
【００２０】
図１は、本発明の実施形態による可変絞り装置の斜視図であり、図２は、本発明の実施形態による可変絞り装置の分解図であり、図３は、本発明の実施形態による可変絞り装置の他の分解図である。
【００２１】
図１〜図３に示すように、本発明の実施形態による可変絞り装置は、本体ケース１０と、ベース２０と、導電端子２１とを備えている。本体ケース１０とベース２０には透光孔３０が形成されており、導電端子２１はベース２０に取り付けられている。また、本実施形態による可変絞り装置は、形状記憶合金ワイヤ４０、端子接続部５０、可動部６０及び従動部７０をさらに備えている。形状記憶合金ワイヤ４０の一端は端子接続部５０に接続されており、可動部６０は第一の回転軸２２を介してベース２０に連結されている。可動部６０における第一の回転軸２２を中心に透光孔３０から遠い側は、形状記憶合金ワイヤ４０の他端に接続されており、可動部６０における第一の回転軸２２を中心に透光孔３０に近い側は、端子接続部５０の弾性構造に接続されている。ここで、弾性構造として、弾性片５３を使うことが好ましい。従動部７０は、第二の回転軸７３を介してベース２０に連結されている。
【００２２】
端子接続部５０は、導電端子２１上に取り付けられており、形状記憶合金ワイヤ４０、端子接続部５０及び可動部６０の接続により電気回路経路が形成される。導電端子２１は、一端がベース２０上に固定され、他端がベース２０に沿って下に伸びている。且つ、導電端子２１の一端の周囲には、複数の凸起のホットリベットピン（又は溶接部）２３が配置されて、導電端子２１と端子接続部５０を接続するために使われ、安定した電気接続が確保できるようにする。
【００２３】
未通電時、形状記憶合金ワイヤ４０は自然状態にあり、弾性片５３は、可動部６０を引っ張って透光孔を遮蔽する。ある所定の小電流に制御すると、形状記憶合金ワイヤ４０が収縮し、弾性片５３が伸ばされて、一部の透光孔が露出する（小絞り）。さらに所定の大電流に制御すると、形状記憶合金ワイヤ４０がさらに収縮し、弾性片５３がさらに伸ばされて、全部の透光孔が露出する（大絞り）。
【００２４】
可動部６０と従動部７０との間は、連結部９０によって回動連結されている。連結部９０の一端は可動部６０と連結固定されている。従動部７０の端部には、スライド溝７１が設けられている。また、連結部９０の他端には凸起９１が形成され、スライド溝７１内に凸起９１が配置される。可動部６０の回動に伴い、凸起９１は、スライド溝７１に沿ってスライドする。ここで、スライド溝７１は、凸起９１が描く軌跡に対して斜めに延伸しており、Ｌ字型を呈することが好ましい。したがって、可動部６０の回動によって従動部７０が第二の回転軸７３を中心に回動して、可変絞り構造が形成される。
【００２５】
本実施形態による可変絞り装置は、支持部８０をさらに備える。支持部８０は、ベース２０に固定され、第一の回転軸受穴８１と第二の回転軸受穴８２とを有する。支持部８０は、一端が可動部６０の一端と回動連結し、可動部６０を支持する。即ち、支持部８０と可動部６０は、第一の回転軸受穴８１と第一の回転軸２２とを介して連結している。支持部８０は、可動部６０とベース２０との間に位置して、摩擦により発生する屑を有効に防止することができ、可動部６０とベース２０との間の摩擦を防ぐ。また、支持部８０と従動部７０は、第二の回転軸受穴８２と第二の回転軸７３とを介して連結している。
【００２６】
そして、形状記憶合金ワイヤ４０の他端は可動部６０に接続されている。ここで、好ましくは、端子接続部５０は、電気的に絶縁された第一の端子接続部５１と第二の端子接続部５２を備えており、形状記憶合金ワイヤ４０の一端は第一の端子接続部５１に接続され、第二の端子接続部５２の弾性片５３は可動部６０の端部に接続されている。
【００２７】
図３に示すように、導電端子２１は、ベース２０上のＡ領域において第一の端子接続部５１と第二の端子接続部５２とにそれぞれ接続しており、凸起のホットリベットピン（又は溶接部）２３によって、導電端子２１と第一の端子接続部５１、第二の端子接続部５２との安定した電気的接続が確保できる。
【００２８】
特に、第一の端子接続部５１の外側部に第一の折り曲げ部５１１を設置して、形状記憶合金ワイヤ４０の一端を第一の折り曲げ部５１１に接続する。同じく、可動部６０の外側部に第二の折り曲げ部６１を設置して、形状記憶合金ワイヤ４０の他端を第二の折り曲げ部６１に接続する。
【００２９】
さらに、可動部６０は、第一の円弧形本体部６２を備え、従動部７０は、第二の円弧形本体部７２を備えており、第一の円弧形本体部６２と第二の円弧形本体部７２は互いに対応して重ね合わされている。可動部６０と従動部７０が向かい合って作動するとき、第一の円弧形本体部６２と第二の円弧形本体部７２との間では、可変直径の絞りが形成される。
【００３０】
これにより、本実施形態の可変絞り装置では、端子接続部５０を介して形状記憶合金ワイヤ４０と接続して電気回路経路を形成し、電流により、形状記憶合金ワイヤ４０と連動して可動部６０を動作させる。形状記憶合金ワイヤ４０は弾性を有して回復力を提供するほか、電流導通部材としても使われる。形状記憶合金ワイヤ４０、可動部６０及び従動部７０は、安定した制御可能な絞り構造が形成できる。
【００３１】
前述の収縮した状態から形状記憶合金ワイヤ４０が自然長に戻ると、弾性片５３が可動部６０を引っ張るので、可動部６０は第一の回転軸２２を中心に反時計方向に回動する。連結部９０は、一番内側に位置する第一の端部７１１に着くまで、従動部７０におけるスライド溝７１に沿って内側に向かってスライドする。それに伴い、従動部７０は、第二の回転軸７３を中心に反時計方向に回動する。可動部６０と従動部７０は、重なり合って閉状態になる位置まで相互回動する。つまり、絞り全体が閉状態になる。
【００３２】
形状記憶合金ワイヤ４０が通電により短くなると、可動部６０は第一の回転軸２２を中心に時計方向に回動する。連結部９０は、一番外側に位置する第二の端部７１２に着くまで、従動部７０におけるスライド溝７１に沿って外側に向かってスライドする。それに伴い、従動部７０は、第二の回転軸７３を中心に時計方向に回動する。可動部６０と従動部７０は、絞りが徐々に広がって大きくなり、完全に開口状態になるまで相互回動する。ここで、形状記憶合金ワイヤ４０は駆動方式及び回復力を提供する。
【００３３】
以上の構成に基づいて、本発明の他の実施形態では上記した可変絞り装置を備えたカメラ装置を提供する。
【００３４】
以上の構成に基づいて、本発明のまた他の実施形態では上記したカメラ装置を備えた電子機器を提供する。
【００３５】
このように、本発明による可変絞り装置は、形状記憶合金ワイヤを使い、電気回路経路を形成して、電流により形状記憶合金ワイヤを発動して、可動部を作動させるので、薄型を実現でき、これを搭載したカメラ装置及び電子機器も薄型にできる。この可変絞り装置は、レンズを遮蔽することができて、プライバシーの漏洩を防ぐことが可能である。また、小絞りモード及び大絞りモードを提供することもできる。
【００３６】
上記のように、図面に基づいて本発明の好ましい実施形態を説明したが、本発明は上記実施形態に限定されず、本発明の趣旨に基づいて変更または改善することができる。
【００３７】
また、以上で本発明の具体的な実施形態を説明したが、当業者であれば、これらはただ例示的なものであり、本発明の保護範囲は特許請求の範囲により限定されることが理解される。当業者は本発明の原理及び実質を逸脱せず、これらの実施形態について様々な変更または改善することができ、これらの変更及び改善はいずれも本発明の保護範囲に含まれる。
【符号の説明】
【００３８】
１０：本体ケース
２０：ベース
３０：透光孔
４０：形状記憶合金ワイヤ
５０：端子接続部
６０：可動部
７０：従動部
８０：支持部
９０：連結部
２１：導電端子
２２：第一の回転軸
２３：ホットリベットピン（又は溶接部）
５１：第一の端子接続部
５２：第二の端子接続部
５３：弾性片
５１１：第一の折り曲げ部
６１：第二の折り曲げ部
７１：スライド溝
９１：凸起
６２：第一の円弧形本体部
７２：第二の円弧形本体部
７１１：第一の端部
７１２：第二の端部
７３：第二の回転軸
【図１】
2020140206.tif 000003
【図２】
2020140206.tif 000004
【図３】
2020140206.tif 000005